(57)【要約】      （修正有）【課題】有彩／無彩自動判定で読み取り指示を受けた場合でも１ページの読み取り終了と同時にＰＣへ選択された画像を送信することが可能で、コントローラへの転送時、ＲＧＢ画像の階調とモノクロ画像の階調とを自由に選択できるようにする。【解決手段】原稿画像を読み取る画像読み取り部と、読み取った画像が有彩画像であるか無彩画像であるかを判別する有彩無彩判定部３０３と、色補正部３０４と、２値化部３１５を有し、画像読み取り部からのＲＧＢ画像と２値化部３１５で作られたモノクロ２値画像とを同時に、コントローラに転送し、また同時に通知される有彩無彩判定結果に応じてフルカラー画像を外部Ｉ／Ｆに出力するか、モノクロ２値画像を外部Ｉ／Ｆに出力するかを切り替える画像選択部３１６とを備え、コントローラに転送する前に階調反転させることができる正転／反転部３１７〜３２０を設け、ＲＧＢ画像やモノクロ２値画像の階調を切り替える。【選択図】図３
2006086627.tif 000002
【特許請求の範囲】
【請求項１】
原稿画像を読み取る画像読み取り手段と、
前記画像読み取り手段で読み取った画像が有彩画像であるか無彩画像であるかを判別する手段と、
前記画像読み取り手段で読み取ったＲＧＢ画像からモノクログレースケールを作る手段と、
前記画像読み取り手段で読み取ったＲＧＢ画像に対して所定の画像処理を施した後に２値化する手段と、
前記各手段の制御を司る制御手段と、
を有する画像処理装置において、
前記画像読み取り手段によって読み取られたＲＧＢ画像と２値化部で作られたモノクロ２値画像とが同時に前記制御手段に転送され、また同時に通知される有彩無彩判定結果に応じてフルカラー画像を外部Ｉ／Ｆに出力するか、モノクロ２値画像を外部Ｉ／Ｆに出力するかを切り替える手段と、
前記制御手段に転送する前に色毎にＲＧＢ画像と前記モノクロ２値画像の階調を反転させる手段と、
を備えていることを特徴とする画像処理装置。
【請求項２】
前記切り替える手段は、外部Ｉ／Ｆを介してスキャナ読み取り指示を受けた場合に、前記制御手段に前記画像読み取り手段によって読み取られた前記ＲＧＢ画像と２値化する手段で２値化されたモノクロ２値画像とを転送することを特徴とする請求項１記載の画像処理装置。
【請求項３】
前記階調を反転させる手段は、前記ＲＧＢ画像と前記モノクログレースケール画像の画像パス毎に設けられたγ補正手段のテーブル変更によって前記ＲＧＢ画像と前記モノクロ２値画像の階調を色毎に切り替え、前記ＲＧＢ画像と前記モノクロ２値画像を同時に前記制御手段へ転送することを特徴とする請求項１または２記載の画像処理装置。
【請求項４】
前記階調を反転させる手段は、前記２値化する手段における２値化閾値の判定条件を反転させることにより前記モノクロ２値画像の階調を反転させ、前記ＲＧＢ画像と同時に前記制御手段へ転送することを特徴とする請求項１または２記載の画像処理装置。
【請求項５】
請求項１ないし４のいずれか１項に記載の画像処理装置を備えていることを特徴とする画像形成装置。
【請求項６】
原稿画像が有彩画像か無彩画像かを判別し、その結果に応じて画像処理を行う画像処理方法において、
画像読み取り手段によって原稿画像を読み取る第１の工程と、
前記第１の工程読み取った画像が有彩画像であるか無彩画像であるかを判別する第２の工程と、
前記第１の工程で読み取ったＲＧＢ画像からモノクログレースケールを作る第３の工程と、
前記第１の工程で読み取ったＲＧＢ画像に対して所定の画像処理を施した後に２値化する第４の工程と、
前記第１の工程で読み取ったＲＧＢ画像と前記第４の工程で２値化されたモノクロ２値画像とが同時に転送され、また同時に通知される有彩無彩判定結果に応じてフルカラー画像を外部Ｉ／Ｆに出力するか、モノクロ２値画像を外部Ｉ／Ｆに出力するかを切り替え、前記転送前に色毎にＲＧＢ画像と前記モノクロ２値画像の階調を切り替える第５の工程と、
を備えていることを特徴とする画像処理方法。
【発明の詳細な説明】
【技術分野】
【０００１】
本発明は、カラースキャナ、白黒プロッタまたはカラープロッタ等のエンジン部を有する画像処理装置に係り、特に、カラースキャナで読み取った画像の有彩無彩判定結果に基づいた画像処理を行う画像処理装置およびこの画像処理装置を備えた画像形成装置に関する。
【背景技術】
【０００２】
従来技術として、例えば、プレスキャンレス方式による原稿有彩／無彩判定を行い、判定結果に応じて画像形成処理の切り替えを行う方法が提案されている。その１つに特許文献１に開示されている発明がある。この発明では、ＡＤＦを各モードで使用するとき、予め原稿を読み取れる位置でなるべく正規の位置に近い場所にイメージスキャナのキャリッジを移動させておき、原稿の給紙中に原稿が有彩か無彩かを判別した後、キャリッジを正規の位置まで速やかに戻し、その結果に応じて特定色のみのシーケンス動作かフルカラーのシーケンス動作のいずれかを実行するように構成されている。
【０００３】
その他、関連する技術として、例えば、特許文献２および３に開示された発明も知られている。
【特許文献１】特開平９−１７２５５０号公報
【特許文献２】特開２００１−２５１５１１号公報
【特許文献３】特開平１０−３３６４６６号公報
【発明の開示】
【発明が解決しようとする課題】
【０００４】
しかしながら、近年ではカラースキャナを持つ白黒複写機またはカラー複写機においては、ＰＣ等から外部Ｉ／Ｆを通じてスキャナ機能を利用する場合が増えてきている。ＰＣが要求する画像としてはＲＧＢフルカラー、モノクログレースケール、モノクロ２値、ＲＧＢ各２値、シングルカラーなどがある。読み取り画像の指示方法は、画像の種類を設定する場合と、有彩／無彩判定結果を利用して自動的に読み取り画像を選択する場合がある。
【０００５】
ここで、ＰＣから有彩／無彩判定結果を利用して自動的に読み取り画像を選択する方法が指示された場合、たとえば有彩ならばＲＧＢフルカラー画像、無彩ならばモノクロ２値画像を読み取る設定のとき、従来のプレスキャンレス方式においてはＲＧＢフルカラー画像をスキャナで読み取ってメモリに蓄えた後、有彩／無彩の判定結果を待って、有彩ならばそのままＰＣに転送し、無彩ならば蓄積してあるＲＧＢ画像からソフトウェアの処理でモノクロ２値画像を作成しＰＣに転送している。このような手順となる理由は、プレスキャンレス方式であるために読み取っている画像が有彩であるか無彩であるかは判定できるのが最悪１ページの読み取り終了までかかってしまうからである。
【０００６】
このように従来の方法では、画像処理の途中にソフトウェアが介在するため、画像処理の時間が余分にかかってしまう。また、２値化方法についても、ページ全面固定閾値での２値化、ディザ法（変動閾値）での２値化、誤差拡散での２値化、絵柄・文字部で２値化方法切り替える等の方法があるが、これらの処理をソフトウェアに行わせるのはハードウェアで行うより時間がかかる。また、従来では、絵・文字分離情報をソフトウェアに与えていなかったために、より高画質のモノクロ２値画像が得られなかった。
【０００７】
さらに、外部へ画像を出力する場合、ＲＧＢフルカラーでは画像データの容量が大きいためＪＰＥＧ形式の画像フォーマットにすることが多く、モノクログレースケール、モノクロ２値画像などは比較的画像データの容量は少なく、可逆圧縮が適しているためＴＩＦＦ形式の画像フォーマットにされる場合が多い。また、画像の論理についてはＲＧＢ画像では輝度データで扱い、モノクロ画像ではＴＩＦＦ形式を使用するインターネットＦＡＸ等に利用される場合も考慮して濃度データで扱っている。このようにＲＧＢ画像の階調とモノクロ画像の階調が異なる場合が多い。
【０００８】
本発明は、このような背景に鑑みてなされたもので、その目的は、有彩／無彩自動判定で読み取り指示を受けた場合でも１ページの読み取り終了と同時にＰＣへ選択された画像を送信することが可能で、コントローラへの転送時、ＲＧＢ画像の階調とモノクロ画像の階調とを自由に選択できるようにすることにある。
【課題を解決するための手段】
【０００９】
前記目的を達成するため、第１の手段は、原稿画像を読み取る画像読み取り手段と、前記画像読み取り手段で読み取った画像が有彩画像であるか無彩画像であるかを判別する手段と、前記画像読み取り手段で読み取ったＲＧＢ画像からモノクログレースケールを作る手段と、前記画像読み取り手段で読み取ったＲＧＢ画像に対して所定の画像処理を施した後に２値化する手段と、前記各手段の制御を司る制御手段とを有する画像処理装置において、前記画像読み取り手段によって読み取られたＲＧＢ画像と２値化部で作られたモノクロ２値画像とが同時に前記制御手段に転送され、また同時に通知される有彩無彩判定結果に応じてフルカラー画像を外部Ｉ／Ｆに出力するか、モノクロ２値画像を外部Ｉ／Ｆに出力するかを切り替える手段と、前記制御手段に転送する前に色毎にＲＧＢ画像と前記モノクロ２値画像の階調を反転させる手段とを備えていることを特徴とする。
【００１０】
第２の手段は、第１の手段において、前記切り替える手段は、外部Ｉ／Ｆを介してスキャナ読み取り指示を受けた場合に、前記制御手段に前記画像読み取り手段によって読み取られた前記ＲＧＢ画像と２値化する手段で２値化されたモノクロ２値画像とを転送することを特徴とする。
【００１１】
第３の手段は、第１または第２の手段において、前記階調を反転させる手段は、前記ＲＧＢ画像と前記モノクログレースケール画像の画像パス毎に設けられたγ補正手段のテーブル変更によって前記ＲＧＢ画像と前記モノクロ２値画像の階調を色毎に切り替え、前記ＲＧＢ画像と前記モノクロ２値画像を同時に前記制御手段へ転送することを特徴とする。
【００１２】
第４の手段は、第１または第２の手段において、前記階調を反転させる手段は、前記２値化する手段における２値化閾値の判定条件を反転させることにより前記モノクロ２値画像の階調を反転させ、前記ＲＧＢ画像と同時に前記制御手段へ転送することを特徴とする。
【００１３】
第５の手段は、第１ないし第４のいずれかの手段にかかる画像処理装置を画像形成装置が備えていることを特徴とする。
【００１４】
第６の手段は、原稿画像が有彩画像か無彩画像かを判別し、その結果に応じて画像処理を行う画像処理方法において、画像読み取り手段によって原稿画像を読み取る第１の工程と、前記第１の工程読み取った画像が有彩画像であるか無彩画像であるかを判別する第２の工程と、前記第１の工程で読み取ったＲＧＢ画像からモノクログレースケールを作る第３の工程と、前記第１の工程で読み取ったＲＧＢ画像に対して所定の画像処理を施した後に２値化する第４の工程と、前記第１の工程で読み取ったＲＧＢ画像と前記第４の工程で２値化されたモノクロ２値画像とが同時に転送され、また同時に通知される有彩無彩判定結果に応じてフルカラー画像を外部Ｉ／Ｆに出力するか、モノクロ２値画像を外部Ｉ／Ｆに出力するかを切り替え、前記転送前に色毎にＲＧＢ画像と前記モノクロ２値画像の階調を切り替える第５の工程とを備えていることを特徴とする。
【発明の効果】
【００１５】
本発明によれば、ＲＧＢ画像を読み取ってコントローラのメモリに転送するのと同時に、２値化部でハードウェアで２値化されたモノクロ２値画像または色補正部で作成されたモノクログレースケール画像も転送できるハードウェア構成とすることにより、有彩／無彩自動判定で読み取り指示を受けた場合でも１ページの読み取り終了と同時にＰＣへ選択された画像を送信することが可能で、コントローラへの転送時、ＲＧＢ画像の階調とモノクロ画像の階調とを自由に選択できる。
【発明を実施するための最良の形態】
【００１６】
以下、本発明の実施形態について図面を参照して説明する。
【００１７】
図１は本発明の実施形態に係る画像処理装置の概略構成を示すブロック図である。  
同図において、画像処理装置１００は、画像形成を行うエンジン部１１０と、画像形成装置全体の制御を行うコントローラ１２０とをバス１４０で接続した構成である。エンジン部１１０は、エンジン部１１０を制御するＣＰＵ１１１、原稿を読み取るスキャナ等で構成された画像読み取り部１１２、転写材に画像を形成するプロッタ等で構成された画像記録部１１３、画像処理、ＣＰＵＩ／Ｆ，ＰＣＩＩ／Ｆ等を内蔵するコントローラ用ＡＳＩＣ−Ｅ１１４等を備えている。ＡＳＩＣ−Ｅ１１４は、画像読み取り部１１２からの画像データに対してシェーディング補正、ＭＴＦ補正、γ補正等を行う画像処理部（スキャナ画像処理部１１５、プリンタ画像処理部１１６）と、バス１４０のインターフェースとして機能する画像Ｉ／Ｆ部１１７とから構成されている。
【００１８】
コントローラ１２０は、画像形成装置の処理や動作設定を行う操作部１２１、画像データを蓄積するＨＤＤ１２２、画像形成装置全体の制御を行うＣＰＵ１２３、操作部Ｉ／Ｆ、ＣＰＵＩ／Ｆ、ＰＣＩＩ／Ｆ、メモリコントローラ等を内蔵するコントローラ用ＡＳＩＣ−Ｃ１２４、ローカルメモリ（ＭＥＭ−Ｃ）１２７や（ＭＥＭ−Ｐ）１２９、インターフェイス（ＡＧＰ）１４１によりＡＳＩＣ−Ｃ１２４に接続されたＮＢ１２８等で構成されている。ＡＳＩＣ−Ｃ１２４には、画像データを所望の角度に回転させる回転器１２５や画像合成、変倍等を行う編集器１２６も設けられている。コントローラ１２０には更に、外部からの画像情報を取り込むための通信用のＡＳＩＣ１３０、オプション１３１，１３２、ＳＢ１３３、ＲＯＭ１３４等も設けられている。
【００１９】
図２は図１のエンジン部１１０の詳細を示すブロック図である。同図において、画像処理部はスキャナ画像処理部１１５とプリンタ画像処理部１１６とからなり、スキャナ画像処理部１１５には、ＣＣＤ２００からＲＧＢの読み取りデータが入力され、ＣＭＹＫデータに変換して画像Ｉ／Ｆ部１１７からコントローラ１２０のＡＳＩＣ−Ｃに出力する。一方、コントローラ１２０のＡＳＩＣ−Ｃ１２４からはＨＤＤ１２２から読み出され、回転処理や編集処理が施されたＣＭＹＫの印字データがプリンタ画像処理部１１６に入力され、プリンタ画像処理部１６でＣＭＹＫの各色画像データを書き込むＬＤＢ２１０，２１１，２１２，２１３を付勢し、後述の感光体ドラム４０２の表面に各色毎にレーザ書き込みを行い、潜像を形成する。
【００２０】
図３はスキャナ画像処理部１１５の詳細な構成を示すブロック図である。以下、動作とともに説明する。  
図１ないし図３のように構成された画像処理装置１００では、画像処理装置１００の画像読み取り部１１２から画像を読み取り、図３で示すシェーディング補正部３００、フィルタ処理部３０２、画素について絵柄か文字か分離する絵・文字分離部３０１、画像が有彩であるか無彩であるかを判定する有彩無彩判定部３０３、ＲＧＢ画像からＣＭＹＫ画像への変換またはモノクログレースケール画像の生成を行う色補正部３０４、解像度変換や画像サイズの変更を行う変倍部３０５〜３０９、ＣＭＹＫ（ＲＧＢ及びグレースケール）のγ補正を行う色版毎のγ補正部３１０〜３１３、ＲＧＢ画像及びグレースケールを２値化処理する２値化部３１５、２値化されたＫをパッキングするパッキング部３１４と、２値化部３１５及びパッキング部３１４からの出力データ及び色補正部３０４で補正され、変倍、γ補正されたＣＭＹＫの画像データが入力され、コントローラへ出力する画像を選択する画像選択部３１６、色版毎に階調の正転／反転を切り替える正転／反転部３１７〜３２０等の機能を持つスキャナ画像処理部１１５を経由して、コントローラ１２０のメモリ（ＭＥＭ−Ｃ）１２７に蓄積される。印刷動作時には、コントローラ１２０に蓄積された画像は、画像Ｉ／Ｆ部１１７を通してプリンタ画像処理部１１６に転送され、プリンタγ補正、階調処理、枠処理を施した後、画像記録部１１３にて記録紙に印刷される。またＰＣ等から指示を受けてスキャナ動作を行う場合は、ネットワーク、ＵＳＢ、ＩＥＥＥ１３９４等のホストと接続するための外部Ｉ／Ｆを介して、ＰＣから指示を受け、画像読み取り部１１２から画像を読み取り、上記の各画像処理後、ＰＣＩ等の汎用バスやビデオＩ／Ｆ等の画像Ｉ／Ｆ部を経由してコントローラのメモリ１２７に蓄積され、ＣＰＵによってＴＩＦＦ形式やＪＰＥＧ形式等の画像データに変換された後、外部Ｉ／Ｆ部からＰＣに送信される。このとき、ＲＧＢ画像の場合にはＪＰＥＧ形式で、モノクロ画像ではＴＩＦＦ形式で変換されることが多い。
【００２１】
図４は原稿を読み取るときのＬＧＡＴＥ、ＦＧＡＴＥ、ＬＳＹＮＣとＤＡＴＡとの関係を示すタイミングチャートである。
【００２２】
図５は従来から実施されているスキャナ読み取り動作の動作手順を示すフローチャート、図６は本実施形態におけるスキャナ読み取り動作の動作手順を示すフローチャートである。
【００２３】
図６において、ＰＣから読み取りモードとしてＡＣＳモード（Auto Color Select−読み取り画像が有彩／無彩で読み取り画像の種類を切り替えるモード）が選択された場合には（ステップＳ１０１−ＹＥＳ）、画像読み取り部１１２で読み取るＲＧＢ画像にフィルタ処理し、色補正部３０４にてモノクログレースケール画像を生成する（ステップＳ１０２）。ＲＧＢ画像とモノクログレースケール画像は解像度変換や画像サイズを拡大・縮小する場合は変倍部３０５〜３０９で変倍処理され、γ補正部３１０〜３１３によって原稿の持つ質感や特性に合わせて画像を補正する。処理後の画像は画像選択部３１６と２値化部３１５に渡される。２値化部３１５では、全面固定閾値での２値化、ディザ法による２値化、誤差拡散法による２値化、ディザ＆誤差拡散法による２値化、絵・文字分離部３０１で抽出された分離信号ＳＥＰにより、画素が文字部の場合には固定閾値、画素が絵柄部ならディザ法、誤差拡散法、ディザ＆誤差拡散法による２値化を切り替えるなどして、２値化画像を生成する。画像選択部３１６では、ＡＣＳモードで無彩時モノクロ２値を選択と指示されている場合には、ＲＧＢフルカラー画像（Ｒ，Ｇ，Ｂ）と２値化部からのモノクロ２値画像（２値化Ｋ）の計４系統選択する（ステップＳ１０３）。画像選択部３１６での出力フォーマットの例を図７に示す。
【００２４】
次に階調の正転／反転部で選択された４系統の画像に対し階調の反転を行うかどうかを選択する。ここでモノクロ画像について、インターネットＦＡＸに利用するなどの利点から濃度データに変える場合には、輝度データであるＲＧＢ画像から作られた輝度データのモノクロ画像から階調反転し、濃度データに変える。また、輝度データのままでよければ階調反転はしない。このように変換されたモノクロ画像と輝度データのＲＧＢ画像とをコントローラ１２０のメモリに同時に転送する。また、ＡＣＳモードで無彩時モノクログレースケールを選択と指示されている場合には、ＲＧＢフルカラー画像（Ｒ，Ｇ，Ｂ）と色補正部３０４からのモノクログレースケール（ＧＳ）の計４系統選択して、モノクログレースケールのみ階調反転し、コントローラ１２０のメモリに同時に転送し（ステップＳ１０４）、コントローラ１２０のメモリ１２２に蓄積する（ステップＳ１０５）。
【００２５】
コントローラ１２０では、１ページの転送終了時までには判定し終わっている有彩無彩判定部３０３からの判定結果ａｃｓ＿ｆｌａｇに基づき、有彩ならば（ステップＳ１０６−ＹＥＳ）、ＲＧＢフルカラー画像からＪＰＥＧ画像データやＴＩＦＦ画像データを作成し（ステップＳ１０７）、無彩ならばＲＧＢ画像と同時に転送されているモノクログレースケール画像またはモノクロ２値画像からＴＩＦＦ画像データを作成して（ステップＳ１０８）ＰＣに送信する（ステップＳ１０９）。この構成により、コントローラに蓄積した後のソフトウェアによる２値化画像やグレースケール画像の生成及び階調の選択等をしなくてもよく、ＣＰＵ負荷、ＰＣに対する応答時間を短縮することができる。
【００２６】
一方、ステップＳ１０１で読み取りモードとしてＡＣＳモードが指定されたなかった場合には（ステップＳ１０１−ＮＯ）、読み取る画像の種類を操作部１２１からユーザが設定し（ステップＳ１１０）、設定結果がスキャナ画像処理部１１５に通知され、スキャナは設定された画像の種類で読み取り（ステップＳ１１１）、読み取った画像データをコントローラ１２０のメモリ１２１に蓄積し（ステップＳ１１２）、蓄積した画像データをＰＣに転送する（ステップＳ１０９）。
【００２７】
なお、従来では、図５に示すようにステップＳ１０２からステップＳ１０９までの処理が、スキャナでＲＧＢフルカラーの画像を読み取り（ステップＳ１２１）、読み取った画像データをコントローラのメモリに蓄積し（ステップＳ１２２）、画像が有彩であれば、ステップＳ１２２で蓄積したデータをＰＣへ転送し（ステップＳ１０９）、無彩であれば、ソフトウェアでモノクロ時の階調を選択し、２値化処理でモノクロ２値画像または色補正処理でモノクログレースケール画像を作成して（ステップＳ１２４）ＰＣへ転送していた（ステップＳ１０９）。したがって、画像処理の途中にソフトウェアが介在するため、画像処理の時間が余分にかかっていた。また、２値化の方法についても、ページ全面固定閾値での２値化、ディザ法（変動閾値）での２値化、誤差拡散での２値化、絵柄・文字部で２値化方法切り替える等の方法があるが、これらの処理をソフトウェアに行わせるとハードウェアで行うより時間がかかってしまうことは明らかである。
【００２８】
なお、前記グレースケールへの変換には、色版毎に用意してあるγ補正部のうち、図８に示すようにグレースケール版のみ階調反転されたγテーブルを設定することにより、グレースケールを濃度データに変換する。また、変換されたグレースケールからモノクロ２値画像を生成する。これらの画像データから上述の通り４系統選択し、コントローラ１２０のメモリに同時に転送する。コントローラ１２０上の処理は上記と同様である。
【００２９】
さらに、グレースケールからモノクロ２値画像を作成する場合に、図９に示すように２値化閾値で判定する条件を論理反転し、輝度データから濃度データへ変換し、得られたモノクロ２値画像とＲＧＢ画像とをコントローラ１２０のメモリに同時に転送するようにする。コントローラ１２０上の処理は上記と同様である。
【００３０】
図１０は、本発明の実施形態に係るカラー画像形成装置としてのカラープリンタの概略構成を示す図である。図１０において、カラープリンタは作像部１０、給紙部２０、定着部（装置）３０および排紙部４０から基本的に構成されている。
【００３１】
作像部１０は、ＣＭＹＫ各色の感光体ドラム１１Ｃ，１１Ｍ，１１Ｙ，１１Ｋと、各感光体ドラム１１Ｃ，１１Ｍ，１１Ｙ，１１Ｋに対して光書き込みを行う図示しない各色毎の書き込みユニットと、各感光体ドラム１１Ｃ，１１Ｍ，１１Ｙ，１１Ｋと接触し、駆動プーリと従動プーリとの間に張設された転写ベルト１２と、転写ベルト１２を挟んで各感光体ドラム１１Ｃ，１１Ｍ，１１Ｙ，１１Ｋと対向する位置に設けられた転写ローラ１３Ｃ，１３Ｍ，１３Ｙ，１３Ｋと、黒転写部の下流側であって縦搬送路１５を挟んで設けられた転写ローラ１４とから主に構成されている。
【００３２】
給紙部２０は、第１および第２の給紙トレイ２１，２２と、給紙トレイ２１，２２から給紙ローラ２３，２４によって繰り出された転写紙２５，２６を縦搬送路１５に搬送するための転写紙搬送経路１６と、縦搬送路１５に手差しで転写紙を送り込むための手差しトレイ２７とから構成されている。
【００３３】
定着装置３０は縦搬送路１５の転写紙搬送方向下流側に設けられ、定着ローラ３１、加熱ローラ３２、定着ベルト３３および加圧ローラ３４とからなる。
【００３４】
排紙部４０は、定着装置３０の転写紙搬送方向下流側に設けられ、排紙ローラ４１と排紙トレイ４２から構成されている。
【００３５】
このように構成されたカラープリンタでは、給紙トレイ２１，２２または手差しトレイ２７から給紙された転写紙は、縦搬送路１５に送り出され、現像・転写を行う作像部１０で作像され転写ベルト１２の表面に重畳されたフルカラーの画像が転写ローラ１４によって転写紙に転写される。転写紙上に転写された未定着画像は定着装置３０に送られ、ヒータ等の熱源により表面が加熱された定着ベルト３３の内側で駆動および従動する定着ローラ３１と加圧ローラ３４で形成されるニップを通過することにより転写紙の表面に定着されて半永久画像となり、排紙トレイ４２に排出される。
【００３６】
以上のように本実施形態によれば、画像読み取り部で読み取ったＲＧＢ画像と、そのＲＧＢ画像から色補正部で生成したモノクログレースケール画像と、２値化部で生成したモノクロ２値画像とを画像選択部にて選択し、階調正転／反転部で色版毎に階調の正転／反転を行い、ＲＧＢフルカラー画像と同時に、モノクロ２値画像またはモノクログレースケール画像をコントローラに転送できるため、１ページの読み取り終了時までには判定される有彩無彩判定結果に基づき、ＲＧＢフルカラー画像を選ぶかモノクロ画像を選ぶかの選択を最悪１ページの読み取り終了時までには行うことができ、かつＴＩＦＦ形式やＪＰＥＧ形式の画像フォーマットに適した所望の階調データを得ることができる。これにより、ソフトウェアによる２値化やモノクログレースール作成等の後処理が必要でなくなり、ＣＰＵの負荷の軽減と、ＰＣへの応答時間の短縮を図ることができる。
【図面の簡単な説明】
【００３７】
【図１】本発明の実施形態に係る画像処理装置の概略構成を示すブロック図である。
【図２】図１のエンジン部の詳細を示すブロック図である。
【図３】図１のスキャナ画像処理部の詳細な構成を示すブロック図である。
【図４】原稿の読み取りタイミングを示す図である。
【図５】従来の読み取り手順を示すフローチャートである。
【図６】本発明の実施形態に係る読み取り手順を示すフローチャートである。
【図７】画像選択部での出力フォーマットを示す図である。
【図８】γ変換時のγテーブル例を示す図である。
【図９】２値化判定条件の例を示す図である。
【図１０】本発明の実施形態に係る画像処理装置を備えた画像形成装置の一例を示す図である。
【符号の説明】
【００３８】
１００  画像処理装置
１１０  エンジン部
１１１、１２３ＣＰＵ
１１２  画像読み取り部
１１３  画像記録部
１１４  ＡＳＩＣ−Ｅ
１１５  スキャナ画像処理部
１１６  プリンタ画像処理部
１２０  コントローラ
１２１  操作部
１２２  ＨＤＤ（メモリ）
１２４  ＡＳＩＣ−Ｃ
３００  シェーディング補正部
３０１  絵・文字分離部
３０２  フィルタ処理部
３０３  有彩無彩判定部
３０４  色補正部
３０６〜３０９  変倍部
３１０〜３１３  γ補正部
３１５  ２値化部
３１６  画像選択部
３１７〜３２０  正転／反転部
【図１】
2006086627.tif 000003
【図２】
2006086627.tif 000004
【図３】
2006086627.tif 000005
【図４】
2006086627.tif 000006
【図５】
2006086627.tif 000007
【図６】
2006086627.tif 000008
【図７】
2006086627.tif 000009
【図８】
2006086627.tif 000010
【図９】
2006086627.tif 000011
【図１０】
2006086627.tif 000012